(57)【特許請求の範囲】
【請求項１】
パイプ状のシャフトの先端開口に吸水性部材が取り付けられると共に、上記先端開口に連通する上記シャフトの内腔を吸引手段に接続するための吸引接続路が設けられて、上記先端開口と上記吸引接続路との間を外部に通じさせる手元側開口が設けられ、上記シャフトの側壁には、上記シャフトの基端開口を人指し指で塞いだ時にその手の他の指で塞ぐことができる孔が穿設されて、その孔が、完全に塞ぐには複数の指で塞ぐ必要がある大きさに形成されていることを特徴とする医療用分泌物吸収具。
【請求項２】
上記吸引接続路が、上記シャフトの先端開口と上記手元側開口との間から分岐されている請求項１記載の医療用分泌物吸収具。
【請求項３】
上記手元側開口が、上記シャフトの基端部に形成されている請求項１又は２記載の医療用分泌物吸収具。
【請求項４】
上記シャフトの少なくとも一部が可撓性を有している請求項１、２又は３記載の医療用分泌物吸収具。
【発明の詳細な説明】
【０００１】
【発明の属する技術分野】
この発明は、体内分泌物や出血など患者の水分を吸収するための医療用分泌物吸収具に関する。
【０００２】
【従来の技術】
患者の体内分泌物や出血等のような水分を吸収するために、シャフトの先端に綿のような吸水性部材を取り付けたいわゆる綿棒が用いられている。そして、吸収した水分を外部の吸引装置に接続できるように、シャフトとして両端が開口したパイプを用いて、基端側の開口部に吸引チューブを接続できるようにしたものがある（実公昭５６−４００１号、実公昭５６−２２８８２号）。
【０００３】
【発明が解決しようとする課題】
しかし、シャフトの基端側開口部に吸引チューブを接続すると、使用中に体腔内の空気が外部に常時排出されて臓器が萎んでしまう不都合がある。また、吸引が常時作用していると、分泌物吸収具の先端が出血源等に触れたときに、瞬時に強い吸引力が加わって、多量の出血を起こしたり、臓器を損傷する恐れがある。
【０００４】
そこで、吸引装置のスイッチをオン／オフして、必要な時だけ吸引装置を作動させればそのような不都合は発生しないが、その度に分泌物吸収具の操作等が中断されて医療処置のリズムが著しく阻害されてしまう。
【０００５】
そこで本発明は、操作性がよくて必要なときだけ必要に応じて吸引を作用させることができる医療用分泌物吸収具を提供することを目的とする。
【０００６】
【課題を解決するための手段】
上記の目的を達成するため、本発明の医療用分泌物吸収具は、パイプ状のシャフトの先端開口に吸水性部材が取り付けられると共に、上記先端開口に連通する上記シャフトの内腔を吸引手段に接続するための吸引接続路が設けられ、上記先端開口と上記吸引接続路との間を外部に通じさせる手元側開口が設けられていることを特徴とする。
【０００７】
なお、上記吸引接続路が、上記シャフトの先端開口と上記手元側開口との間から分岐されていてもよく、上記手元側開口が、上記シャフトの基端部に形成されていてもよい。
【０００８】
また、上記シャフトの少なくとも一部が可撓性を有していてもよく、上記シャフトの側壁に、上記シャフトの手元側開口を人指し指で塞いだ時にその手の他の指で塞ぐことができる孔が穿設されていてもよい。
【０００９】
また、上記シャフトの側壁に穿設された孔が、完全に塞ぐには複数の指で塞ぐ必要がある大きさに形成されていてもよい。
【００１０】
【発明の実施の形態】
図面を参照して本発明の実施の形態を説明する。
図１は本発明の第１の実施の形態の医療用分泌物吸収具を示しており、シャフト１は、細長いパイプ状の挿入部シャフト１ａの基端部に短い手元側シャフト１ｂが真っ直ぐに連結接続されて構成されていて、両端が開口している。
【００１１】
挿入部シャフト１ａの先端には、例えばＰＶＡ（ポリビニルアルコール）スポンジ、綿、海綿或いは含水性高分子材料等のように吸水性のある材料からなる吸水性部材が、挿入部シャフト１ａの先端開口１ｃ部分を覆うように側方及び前方に出っ張って固着されている。
【００１２】
手元側シャフト１ｂの側壁部には、図示されていない吸引装置にシャフト１の内腔１ｅを接続するための吸引接続路３が、手元側シャフト１ｂの途中から側方に突出する形に分岐されており、そこに吸引チューブ４が接続されている。
【００１３】
手元側シャフト１ｂの基端開口１ｄ（手元側開口）は、分泌物吸収具を保持する手の人指し指で塞いだりその指を退かせて開いたりするための指当て部になっており、指を傷めないように端面に丸みがつけてある。
【００１４】
図２は、この実施の形態の医療用分泌物吸収具を使用する際の保持状態を示しており、基端開口１ｄを人指し指で自由に塞いだり開いたりできるように、シャフト１が人指し指以外の４本の指で支えられる。側方に延びた吸引チューブ４を人指し指と親指との間に通すことにより、分泌物吸収具を安定した状態に持つことができる。
【００１５】
そのような状態で、吸引チューブ４の他端側に接続された吸引装置を常時オンにした状態で、基端開口１ｄを塞げば、吸引力が全てシャフト１の内腔１ｅを経由して吸水性部材２に加わり、外部から吸水性部材２に吸収された水分を吸引除去することができる。
【００１６】
そして、人指し指を基端開口１ｄから退かして基端開口１ｄを開けば、基端開口１ｄを介して大気が吸引され、吸水性部材２にはほとんど吸引力が作用しない。また、基端開口１ｄの開口面積を人指し指の置き方で調整することにより、吸引力及び吸引量を指感覚で調整することができる。
【００１７】
図３は、本発明の第２の実施の形態の医療用分泌物吸収具を示しており、シャフト１の内腔１ｅに直接連通する長孔５を手元側シャフト１ｂの側壁に穿設したものである。
【００１８】
この長孔５は、手元側シャフト１ｂの軸線方向に長く形成されており、保持状態を示す図４に示されるように、分泌物吸収具を保持する手の中指と薬指と小指の３本の指先で塞ぐことができる大きさに形成されている。
【００１９】
したがって、長孔５の開口面積を３本の指で適宜調節することにより、吸水性部材２に加わる吸引力を微調整することができ、吸引対象部の出血状態等に対応した適切な吸引力を吸水性部材２に加えることができる。
【００２０】
なお、吸水性部材２に加わる吸引力のオン／オフは、長孔５を完全に塞いだ状態で、第１の実施の形態と同様に人指し指で基端開口１ｄを開閉することによって行うことができる。
【００２１】
なお、第１及び第２の実施の形態共に、挿入部シャフト１ａは硬質パイプで形成してもよいが、一部又は全部に可撓性チューブを用いて、内視鏡の処置具挿通チャンネルに通して使用できるようにしてもよい。
【００２２】
【発明の効果】
本発明によれば、パイプ状のシャフトの先端開口に吸水性部材を取り付けると共に、先端開口に連通するシャフトの内腔を吸引手段に接続するための吸引接続路を設けて、先端開口と吸引接続路との間を外部に通じさせる手元側開口を設けたので、吸引手段を常時動作させておき、分泌物吸収具を保持する手の指先でシャフトの手元側開口を開閉するだけで、吸水性部材に加わる吸引力を必要なときだけ必要に応じて作用させることができる。
【図面の簡単な説明】
【図１】本発明の医療用分泌物吸収具の第１の実施の形態の縦断面図である。
【図２】本発明の医療用分泌物吸収具の第１の実施の形態の使用時の保持状態を示す側面図である。
【図３】本発明の医療用分泌物吸収具の第２の実施の形態の縦断面図である。
【図４】本発明の医療用分泌物吸収具の第２の実施の形態の使用時の保持状態を示す側面図である。
【符号の説明】
１  シャフト
１ａ  挿入部シャフト
１ｂ  手元側シャフト
１ｃ  先端開口
１ｄ  基端開口（手元側開口）
１ｅ  内腔
２  吸水性部材
３  吸引接続路
【図１】
0003689202.tif 000002
【図２】
0003689202.tif 000003
【図３】
0003689202.tif 000004
【図４】
0003689202.tif 000005